(57)【要約】【課題】  ファンハウジング内に収納された汚れたファンロータを容易に洗浄することが可能な送風装置およびこれを備えた空気調和機を提供する。【解決手段】  送風機３は、ファンケーシング１７、ファンモータ１８、ベルト１９、ファンロータ２０、プーリ２１を備えている。ファンケーシング１７は、吸気口１７ｂ、吹出口１７ａ、ファンロータ２０をメンテナンス開口１０側に露出させる露出開口１７ｅを覆うように取り付けられた着脱可能な開口パネル１７ｃ等を備えている。【選択図】      図４
2006010177.tif 000002
【特許請求の範囲】
【請求項１】
回転軸（２０ａ）を中心に回転するファンロータ（２０）と、
前記ファンロータ（２０）を内部に収納し、吸気口（１７ｂ）と吹出口（１７ａ）とを有するとともに、前記ファンロータ（２０）を露出させるように形成された開口部（１７ｅ）を覆うように取り付けられた開閉可能な開口パネル（１７ｃ）を有するファンハウジング（１７）と、
前記ファンロータ（２０）を回転させる駆動部（１８，１９，２１）と、
を備えている、
送風装置（３）。
【請求項２】
前記ファンハウジング（１７）における前記ファンロータ（２０）の回転軸（２０ａ）方向から空気を吸い込み、前記回転軸（２０ａ）と直交する方向に空気を吹き出す、
請求項１に記載の送風装置（３）。
【請求項３】
前記ファンロータ（２０）は、遠心型のファンロータである、
請求項１または２に記載の送風装置（３）。
【請求項４】
前記ファンロータ（２０）は、前記回転軸（２０ａ）に対して平行な向きに配置された複数の羽を有しており、
前記開口パネル（１７ｃ）は、前記回転軸（２０ａ）に対して垂直な方向から前記ファンロータ（２０）を露出させるように形成された開口部（１７ｅ）を覆うように取り付けられている、
請求項１から３のいずれか１項に記載の送風装置（３）。
【請求項５】
請求項１から４のいずれか１項に記載の送風装置（３）と、
前記送風装置（３）によって形成される空気の流れの中に配置される熱交換器（２）と、
を備えた空気調和機（５０）。
【請求項６】
前記送風装置（３）によって形成される空気の流れにおける最下流側に、前記熱交換器（２）によって調和された空気を排出するダクト（１２）をさらに備えた、
請求項５に記載の空気調和機（５０）。
【請求項７】
前記送風装置（３）によって形成される空気の流れにおける最下流側に、前記熱交換器（２）によって調和された空気を排出するプレナム（５１）をさらに備えた、
請求項５に記載の空気調和機（５０）。
【発明の詳細な説明】
【技術分野】
【０００１】
本発明は、ファンハウジングに収納されたファンロータを備えた送風装置およびこれを備えた空気調和機に関する。
【背景技術】
【０００２】
従来より、室内空間を快適な環境に保つために、室内空間に存在する顕熱負荷および潜熱負荷をそれぞれ処理する熱交換器を備えた空気調和機が提供されている。
例えば、特許文献１には、内部に送風機を備えた空気調和機が開示されている。この送風機は、ファンケーシングと、ファンケーシング内に収納されたファンロータと、ファンケーシングの側方に配置されたファンモータとを備えている。そして、ファンモータの回転駆動力がプーリやベルト等を介してファンケーシング内に収納されたファンロータの回転軸へ伝達されてファンロータが回転する。これにより、空調室内機の内部に空気の流れを形成して、ファンケーシングが有している吸気口から空気を吸い込むとともに、吹出し口から空気を排出する。
【特許文献１】特開平１１−３０４１７７号公報（平成１１年１１月５日公開）
【発明の開示】
【発明が解決しようとする課題】
【０００３】
しかしながら、上記従来の空気調和機の送風装置では、以下に示すような問題点を有している。
すなわち、上記公報に開示された空気調和機の送風機では、ファンロータがファンハウジング内に収納されている。そして、ファンハウジングの吸気口と吹出口とは、それぞれファンロータを回転させる駆動機構、ダクトやプレナム等が取り付けられている。このため、使用中に汚れたファンロータを洗浄する場合には、吹出し側のダクトやプレナム、吸気側の駆動機構を取り外す必要があり、洗浄を行うことは非常に困難であった。
【０００４】
特に、食品工場等に設置される空気調和機は、衛生面で常に清潔にしておく必要があるため、内部の各部品を定期的に洗浄することが望ましい。しかし、上記公報に開示された空気調和機ではファンロータの洗浄を行うことが困難であったため、食品工場のような常に清潔さが要求される場所に設置した場合のユーザからは内部洗浄が可能な空気調和機の提供が切望されていた。
【０００５】
本発明の課題は、ファンハウジング内に収納された汚れたファンロータを容易に洗浄することが可能な送風装置およびこれを備えた空気調和機を提供することにある。
【課題を解決するための手段】
【０００６】
第１の発明に係る送風装置は、ファンロータと、ファンハウジングと、駆動部とを備えている。ファンロータは、回転軸を中心に回転する。ファンハウジングは、ファンロータを内部に収納し、吸気口と吹出口とを有している。さらに、ファンハウジングは、ファンロータを露出させるように形成された開口部を覆うように取り付けられた開閉可能な開口パネルを有する。駆動部は、ファンロータを回転させる。
【０００７】
ここでは、ファンハウジングに収納されたファンロータが、ファンハウジングに取り付けられている開閉可能な開口パネルを開けることで露出される。
通常、ファンハウジングには、ファンロータによって形成される空気流路を流れる空気を取り込む吸気口と送り出す吹出口とが形成されているが、これらの開口部にはファンロータを回転させる駆動部やダクトやプレナム等が近接配置されている。このため、ファンハウジングに収納されたファンロータの洗浄を行うことが困難であった。
【０００８】
そこで、本発明の送風装置では、ファンハウジングに吸気口、吹出口以外の開口部を設け、これを開閉可能な開口パネルで覆うとともに、開口パネルの背面側にファンロータを配置して開口パネルを開けるとファンロータが露出するように構成されている。これにより、ファンロータの洗浄時には、開口パネルを開けて開放された開口部から水をかける等して容易にファンロータの洗浄を行うことができる。
【０００９】
第２の発明に係る送風装置は、第１の発明の送風装置であって、ファンハウジングにおけるファンロータの回転軸方向から空気を吸い込み、回転軸と直交する方向に空気を吹き出す。
ここでは、ファンロータの回転軸方向から空気を吸い込んで回転軸に直交する方向に空気を吹き出す送風装置を用いている。
【００１０】
通常、このような送風装置において、ファンロータの回転軸方向である吸気口側にはファンロータを回転させる駆動部、吹出口側にはダクトやプレナム等が設けられている。このため、これらの開口部からファンロータの掃除を行うことは困難であった。
そこで、本発明の送風装置のように、ファンロータを外部に露出させる開口パネルを設けることで、ファンロータの洗浄を容易に行うことが可能になる。
【００１１】
第３の発明に係る送風装置は、第１または第２の発明の送風装置であって、ファンロータは、遠心型のファンロータである。
ここでは、ファンロータとしてシロッコファン等の遠心型のファンロータを使用することができる。これにより、ファンロータの回転軸方向から空気を吸い込んで回転軸方向に直交する方向へ空気を吹き出す送風装置を得ることができる。
【００１２】
第４の発明に係る送風装置は、第１から第３の発明のいずれか１つの送風装置であって、ファンロータは、回転軸に対して平行な向きに配置された複数の羽を有している。開口パネルは、回転軸に対して垂直な方向からファンロータを露出させるように形成された開口部を覆うように取り付けられている。
ここでは、ファンロータの羽がファンロータの回転軸に対して平行な向きに配置されているため、ファンロータを、羽に対して垂直な方向である回転軸に対する垂直方向から洗浄することが好ましい。
【００１３】
ここで、本発明の送風装置では、ファンロータの羽（ファンロータの回転軸）に対して垂直な方向からファンロータを露出させるように開口部が形成されている。これにより、開口部からファンロータの羽の部分を容易に洗浄することが可能になる。
第５の発明に係る空気調和機は、第１から第４の発明のいずれか１つの送風装置と、送風装置によって形成される空気の流れの中に配置される熱交換器とを備えている。
【００１４】
ここでは、空気調和機がファンロータの洗浄が容易な送風装置を備えており、ファンハウジングに収納されたファンロータが、ファンハウジングに取り付けられている開口パネルの背面側に配置されている。
通常、ファンハウジングには、空気を取り込む吸気口と空気を送り出す吹出口とが形成されているが、これらの開口部にはファンロータを回転させる駆動部やダクト等が近接配置されている。このため、ファンハウジングに収納されたファンロータの洗浄を行うことが困難であった。
【００１５】
そこで、本発明の空気調和機では、ファンハウジングに開口パネルを設け、開口パネルの背面側にファンロータを配置している。これにより、開口パネルを開けて形成される開口部から水をかける等して容易にファンロータを洗浄することができる。
第６の発明に係る空気調和機は、第５の発明の空気調和機であって、送風装置によって形成される空気の流れにおける最下流側に、熱交換器によって調和された空気を排出するダクトをさらに備えている。
【００１６】
ここでは、空気調和機の熱交換器において調和された空気を吹き出すダクトが設けられているため、送風装置の吹出口からファンロータの洗浄を行うことが困難な構成となる。
そこで、本発明の空気調和機では、ファンハウジングに開口パネルを設け、その背面側にファンロータを配置している。このため、ダクトが設置されて送風装置の吹出口からファンロータの洗浄を行うことが困難な場合でも、容易にファンロータの洗浄を行うことが可能になる。
【００１７】
第７の発明に係る空気調和機は、第５の発明の空気調和機であって、送風装置によって形成される空気の流れにおける最下流側に、熱交換器によって調和された空気を排出するプレナムをさらに備えている。
ここでは、空気調和機の熱交換器において調和された空気を吹き出すプレナムが設けられているため、送風装置の吹出口からファンロータの洗浄を行うことが困難な構成となる。
【００１８】
そこで、本発明の空気調和機では、ファンハウジングに開口パネルを設け、その背面側にファンロータを配置している。このため、プレナムが設置されて送風装置の吹出口からファンロータの洗浄を行うことが困難な場合でも、容易にファンロータの洗浄を行うことが可能になる。
【発明の効果】
【００１９】
第１の発明に係る送風装置によれば、開口パネルを開けて開放された開口部から水をかける等して容易にファンロータの洗浄を行うことができる。
第２の発明に係る送風装置によれば、ファンロータを外部に露出させる開口パネルを設けることで、ファンロータの洗浄を容易に行うことが可能になる。
第３の発明に係る送風装置によれば、ファンロータの回転軸方向から空気を吸い込んで回転軸方向に直交する方向へ空気を吹き出す送風装置を得ることができる。
【００２０】
第４の発明に係る送風装置によれば、開口部からファンロータの羽の部分を容易に洗浄することが可能になる。
第５の発明に係る空調室内機によれば、開口パネルを開けて形成される開口部から水をかける等して容易にファンロータを洗浄することができる。
第６の発明に係る空調室内機によれば、ダクトが設置されて送風装置の吹出口からファンロータの洗浄を行うことが困難な場合でも、容易にファンロータの洗浄を行うことが可能になる。
【００２１】
第７の発明に係る空調室内機によれば、プレナムが設置されて送風装置の吹出口からファンロータの洗浄を行うことが困難な場合でも、容易にファンロータの洗浄を行うことが可能になる。
【発明を実施するための最良の形態】
【００２２】
本発明の一実施形態に係る送付装置およびこれを備えた空気調和機について、図１〜図４を用いて説明すれば以下の通りである。
〔空気調和機全体の構成〕
本発明の一実施形態に係る空調室内機（空気調和機）は、図１〜図３に示すように、床置型の空調室内機５０であって、直方体形状のケーシング１と、該ケーシング１内の空気通路を横切るように配設された熱交換器２と、熱交換器２の上方に配設された送風機（送風装置）３とを備えている。
【００２３】
なお、空調室内機５０は、室外に配置された図示しない空調室外機と冷媒配管を介して接続されており、空調室外機側に冷媒回路を構成する圧縮機等を収納している。
ケーシング１は、一対の側板４，４と、側板４，４の前端間に取り付けられた前面板５と、側板４，４の後端間に取り付けられた背面板６と、天板７および底板８とによって構成されている。また、これらの側板４，４や背面板６、後述するメンテナンスパネル１０の内側の面には、アルミシートによって覆われた発泡ポリエチレンが断熱材として設置されている。このような断熱材は、吸水性がほとんどなく、耐摩耗性も優れているため、空調室内機５０の内部の清掃を散水後に雑巾で拭き取る等の方法で容易に行うことができる。
【００２４】
熱交換器２は、図２に示すように、後述するメンテナンスパネル１０の背面側であって、送風機３によって形成される空気の流れを横切るように配置されている。また、熱交換器２は、メンテナンスパネル１０を外すと現れる開口の手前側から奥側に向かって下方に傾斜した状態でケーシング１の内部に取り付けられている。熱交換器２を支持するための下枠１３は、側板４，４の両後端に形成された係止部１５，１５に係止されている。一方、上枠１４は、側板４，４の両前端縁付近に形成された取付板１６に係止された状態でビス止めされている。
【００２５】
送風機３は、図１〜図３に示すように、空調室内機５０の上部に取り付けられており、スクロールタイプのファンケーシング１７と、ファンモータ１８およびベルト１９、プーリ２１（駆動部）と、ファンロータ（シロッコファン、遠心型ファン）２０とを有している。なお、送風機３については後段にて詳述する。
一対の側板４は、空調室内機５０の側面における外郭を形成するとともに、送風機３のファンモータ１８や回転軸２０ａ等を両側から支持している。また、側板４は、各後端部縁を内側に切り起こして形成される係止部１５を有している。
【００２６】
前面板５には、上下方向における中間部分に空気吸込口９が形成されており、この空気吸込口９を覆うように、下端部を回動中心とするメンテナンスパネル１０が開閉自在に設けられている。メンテナンスパネル１０は、メンテナンス等を行う際に開けられ、熱交換器２の洗浄等を行う。
背面板６は、通常、空調室内機５０の設置する際には壁側になるように配置される側の外郭を形成する。
【００２７】
天板７には、空気吹出口１１が形成されている。空気吹出口１１は、調和空気を所望の場所から吹き出すように誘導するダクト１２と接続されている。
また、熱交換器２の下方には、熱交換器２から落下するドレン水を受け止めるためのドレンパン２２が、前面側が上位に位置し且つ背面側が下位に位置するように傾斜した姿勢で配設されている。そして、熱交換器２の下端部からドレン水をドレンパン２２に誘導するドレン誘導管２３、ドレン水を屋外へ排出するドレン排出口２４を備えている。
【００２８】
〔送風機の構成〕
送風機３は、図４に示すように、ファンケーシング１７と、ファンモータ１８と、ベルト１９と、ファンロータ２０とプーリ２１とを備えている。
ファンケーシング１７は、天板７（ダクト１２）の方向に空気を吹き出す吹出口１７ａとファンロータ２０の回転軸２０ａの方向から空気を吸い込む吸気口１７ｂとを有している。そして、送風機３は、ファンケーシング１７に収納されたファンロータ２０を回転させて、吸気口１７ｂから吸い込んだ空気を吹出口１７ａから排出する。
【００２９】
また、ファンケーシング１７は、回転軸２０ａに垂直な方向におけるメンテナンスパネル１０側からファンロータ２０を露出させる着脱可能な開口パネル１７ｃを有している。開口パネル１７ｃは、通常時には複数のねじ１７ｄによってファンケーシング１７の本体に固定されている。そして、ファンロータ２０のメンテナンスを行う場合には、ねじ１７ｄを外して取り外され、ここからホース等で水をかけてファンロータ２０の羽部分の洗浄を行うことができる。
【００３０】
ファンモータ１８は、一方の側板４とファンケーシング１７との間であって、回転軸２０ａの一端側に配置されており、その駆動力をベルト１９およびプーリ２１を介してファンロータ２０の回転軸２０ａに伝達する。
〔空気調和機の特徴〕
（１）
本実施形態の空調室内機５０は、図１〜図３に示すように、内部にファンロータ２０を収納したファンケーシング１７と、ファンロータ２０を回転駆動するファンモータ１８とを有する送風機３を備えている。そして、ファンケーシング１７は、図４に示すように、吸気口１７ｂと、吹出口１７ａと、ファンロータ２０をメンテナンスパネル１０側に露出させる露出開口１７ｅを覆うように取り付けられた着脱可能な開口パネル１７ｃを備えている。
【００３１】
通常、このような空調室内機が備えている送風機のファンケーシングには、吹出口と吸気口とが形成されているものの、吹出口側にはダクトやプレナムが接続されており、吸気口側にはファンモータ等の駆動部や側板等が近接配置されている。このため、ファンケーシングに収納されたファンロータの洗浄を行うためには、ダクトやプレナム等を取り外して吹出口側から行うか、あるいは空調室内機５０から送風機３ごと取り出して吸気口側から行う必要がある。このため、実質上、ユーザがファンロータの洗浄を行うことは困難であった。
【００３２】
そこで、本実施形態の空調室内機５０では、ファンロータ２０の洗浄等のメンテナンスを行うための露出開口１７ｅをファンケーシング１７に形成し、これを着脱可能な開口パネル１７ｃで覆っている。
これにより、開口パネル１７ｃを取り外して現れる露出開口１７ｅからファンロータ２０を容易に洗浄することが可能になる。よって、食品工場等の場所に設置された場合でも、開口パネル１７ｃを取り外して送風機３の内部洗浄を容易に行うことができるため、空調室内機５０から排出される空気調和された空気によって工場内を汚すことなく常に清潔に保つことができる。
【００３３】
（２）
本実施形態の送風機３は、ファンロータ２０が回転すると、回転軸２０ａ方向からファンケーシング１７内に空気を吸い込み、回転軸２０ａと直交する方向から吸い込んだ空気を吹き出す。
このように、回転軸方向から吸気して回転軸の直交方向へ吹き出す送風機３では、吸気口、排気口側にはファンモータ１８等の駆動部やダクト１２等が近接配置されており、ファンケーシング１７に収納されたファンロータ２０を洗浄することは困難であったが、本実施形態の送風機３では、ファンケーシング１７に露出開口１７ｅを形成し、これを開口パネル１７ｃで覆っている。これにより、開口パネル１７ｃを着脱することで容易にファンロータ２０の洗浄を行うことが可能になる。
【００３４】
（３）
本実施形態の送風機３は、ファンロータ２０として、シロッコファン等のような遠心型ファンを用いている。
これにより、ファンロータ２０の回転軸２０ａ方向から吸気して、回転軸２０ａの直交方向へ吹き出す送風機３を構成することができる。
【００３５】
（４）
本実施形態の送風機３は、シロッコファンのように回転軸２０ａに対して平行に配置された複数の羽を有するファンロータ２０を備えている。そして、ファンケーシング１７は、ファンロータ２０の羽に対して垂直な方向に露出開口１７ｅを有し、露出開口１７ｅからファンロータ２０を露出させる。
【００３６】
これにより、ファンロータ２０の羽に対して垂直な方向から洗浄することができるため、さらにファンロータ２０の洗浄がしやすい送風機３を提供できる。
（５）
本実施形態の空調室内機５０は、図２等に示すように、送風機３の吹出口１７ａの上部にダクト１２を接続して、空調室内機５０によって空気調和された空気をダクト１２によって所望の空間に誘導している。
【００３７】
これにより、送風機３のファンケーシング１７に形成された吹出口１７ａからファンロータ２０を洗浄することは困難になるが、本実施形態の空調室内機５０では、開口パネル１７ｃを取り外して現れる露出開口１７ｅからファンロータ２０の洗浄を行うことができる。
〔他の実施形態〕
以上、本発明の一実施形態について説明したが、本発明は上記実施形態に限定されるものではなく、発明の要旨を逸脱しない範囲で種々の変更が可能である。
【００３８】
（Ａ）
上記実施形態では、床置型の空調室内機に対して本発明を適用した例を挙げて説明した。しかし、本発明はこれに限定されるものではない。
例えば、壁掛け型や天井埋込型の空調室内機に対しても、さらに空調室内機と空調室外機とが一体化された空気調和機に対しても本発明を同様に適用することが可能である。
【００３９】
上記実施形態では、送風機にダクトが接続されている例を挙げて説明した。しかし、本発明はこれに限定されるものではない。
例えば、図５に示すように、送風機の上部にプレナム５１を取り付けた空調室内機であってもよい。
また、このようにプレナム５１を取り付けた空調室内機では、図６に示すように、風向調整板５１ａがねじ５１ｂやマグネット等でプレナム５１の本体に固定されており、必要に応じて取り外し可能であることが望ましい。これにより、工具を用いることなく、容易にプレナム５１の風向調整板５１ａを取り外して洗浄することができる。
【００４０】
（Ｃ）
上記実施形態では、送風機３のファンロータとしてシロッコファンを用いている例を挙げて説明した。しかし、本発明はこれに限定されるものではない。
例えば、シロッコファン以外の遠心型のファンロータを用いた場合でも上記と同様の効果を得ることができる。
【産業上の利用可能性】
【００４１】
本発明の送風装置およびこれを備えた空気調和機は、ファンハウジング内に収納されたファンロータを容易に洗浄することができるという効果を奏することから、ファンハウジング内にファンロータが収納された送風機およびこれを備えた各種機器に対して広く適用可能である。
【図面の簡単な説明】
【００４２】
【図１】本発明の一実施形態に係る空調室内機の内部の構成を示す正面図。
【図２】図１の空調室内機の内部の構成を示す側面図。
【図３】図１の空調室内機の構成を示す分解図。
【図４】図１の空調室内機が備えている送風機を示す分解斜視図。
【図５】本発明の空調室内機の上部にプレナムを取り付けた構成を示す斜視図。
【図６】図５のプレナムの着脱可能な風向調整板を示す斜視図。
【符号の説明】
【００４３】
１      ケーシング
２      熱交換器
３      送風機（送風装置）
４      側板
５      前面板
６      背面板
７      天板
８      底板
９      空気吸入口
１０      メンテナンスパネル
１１      空気吹出口
１２      ダクト
１３      下枠
１４      上枠
１５      係止部
１６      取付板
１７      ファンケーシング
１７ａ    吐出口
１７ｂ    吸気口
１７ｃ    開口パネル
１７ｄ    ねじ
１７ｅ    露出開口
１８      ファンモータ
１９      ベルト
２０      ファンロータ（遠心型ファン、シロッコファン）
２０ａ    回転軸
２１      プーリ
２２      ドレンパン
５０      空調室内機（空気調和機）
５１      プレナム
５１ａ    風向調整板
５１ｂ    ねじ
【図１】
2006010177.tif 000003
【図２】
2006010177.tif 000004
【図３】
2006010177.tif 000005
【図４】
2006010177.tif 000006
【図５】
2006010177.tif 000007
【図６】
2006010177.tif 000008